【手続補正書】
【提出日】平成17年2月1日(2005.2.1)
【手続補正１】
【補正対象書類名】明細書
【補正対象項目名】特許請求の範囲
【補正方法】変更
【補正の内容】
【特許請求の範囲】
【請求項１】
複数の外部記憶装置と、各々対応する外部記憶装置を制御する複数の外部記憶制御装置と、上位装置とから構成され、ある外部記憶制御装置が制御する外部記憶装置のオリジナルデータを、別の外部記憶制御装置が制御する外部記憶装置が、上記オリジナルデータと同一のデータをバックアップデータとして保持する多重化データ記憶システムにおいて、前記ある外部記憶制御装置が、前記別の外部記憶制御装置に対して同様な書き込み命令を発行する機能を有し、バックアップデータに書き込みアクセスするため、オリジナルデータとバックアップデータの２重化を中断し、バックアップデータに対するアクセス終了後にデータの２重化を再開する時、オリジナルデータとバックアップデータの更新箇所に対応するデータをオリジナルデータからバックアップデータへコピーすることにより、データの２重化を再形成することを特徴とする多重化データ記憶システム。
【請求項２】
請求項１記載の多重化データ記憶システムにおいて、データの２重化を再開する時、オリジナルデータとバックアップデータの更新箇所に対応するデータを、バックアップデータからオリジナルデータへコピーすることにより、データの２重化を再形成することを特徴とする多重化データ記憶システム。
【請求項３】
請求項１又は請求項２のいずれかに記載の多重化データ記憶システムにおいて、バックアップデータへのアクセス終了後、オリジナルデータを制御する外部記憶制御装置がバックアップデータを制御する外部記憶制御装置からバックアップデータの更新箇所の情報をまとめて読み出すことにより、オリジナルデータを制御する外部記憶制御装置がバックアップデータの更新箇所のアクセス情報を認識することを特徴とする多重化データ記憶システム。
【請求項４】
請求項１又は請求項２のいずれかに記載の多重化データ記憶システムにおいて、バックアップデータへのアクセス終了後、バックアップデータを制御する外部記憶制御装置が、オリジナルデータを制御する外部記憶制御装置へバックアップデータの更新箇所の情報をまとめて報告することにより、オリジナルデータを制御する外部記憶制御装置がバックアップデータの更新箇所のアクセス情報を認識することを特徴とする多重化データ記憶システム。
【請求項５】
請求項１又は請求項２のいずれかに記載の多重化データ記憶システムにおいて、バックアップデータへのアクセスの度に、バックアップデータを制御する外部記憶制御装置が、オリジナルデータを制御する外部記憶制御装置へバックアップデータの更新箇所の情報を報告することにより、オリジナルデータを制御する外部記憶制御装置がバックアップデータの更新箇所のアクセス情報を認識することを特徴とする多重化データ記憶システム。
【請求項６】
正ディスク装置と前記正ディスク装置を制御する正ディスク制御装置とを有する正記憶システムと、副ディスク装置と前記副ディスク装置を制御する副ディスク制御装置とを有する副記憶システムとからなり、前記正ディスク装置が保持するオリジナルデータを前記副ディスク装置がバックアップデータとして保持する２重化記憶システムにおいて、
前記正ディスク制御装置は、チャンネルコマンド解析部と、前記副ディスク制御装置に対するコマンド解析部と、前記副ディスク制御装置に対するコマンド発行部と、状態管理テーブルと、アクセス情報管理テーブルとを備え、
前記副ディスク制御装置は、チャンネルコマンド解析部と、前記正ディスク制御装置に対するコマンド解析部と、前記正ディスク制御装置に対するコマンド発行部と、状態管理テーブルと、アクセス情報管理テーブルとを備え、
前記正ディスク制御装置と前記副ディスク制御装置が備える状態管理テーブルは、２重化状態とデータの更新状態に関する情報を保持し、
前記正ディスク制御装置と前記副ディスク制御装置が備えるアクセス情報管理テーブルは、各々が制御するディスク装置のアクセス情報を保持し、
前記状態管理テーブルが示す状態が２重化状態でないときに、前記副ディスク装置のチャンネルコマンド解析部が、書き込みアクセス命令を受けたときに、前記副ディスク制御装置は、書き込みアクセス個所を前記副ディスク制御装置の前記アクセス情報管理テーブルに登録し、
前記副ディスク装置のチャンネルコマンド解析部が、書き込みアクセス終了命令を受けたときに、前記副ディスク制御装置の前記正ディスク制御装置に対するコマンド発行部が、前記正ディスク制御装置に対してアクセス終了を報告するコマンドを発行し、かつ、前記正ディスク制御装置に対してアクセス情報を報告するコマンドを発行し、
前記正ディスク制御装置は、前記副ディスク制御装置に対するコマンド解析部がアクセス終了を報告するコマンドとアクセス情報を報告するコマンドとを受けたときに、前記副ディスク制御装置からの前記副ディスク制御装置からのアクセス情報を前記アクセス情報管理テーブルに登録し、
前記正ディスク装置のチャンネルコマンド解析部が、２重化再開コマンドを受けたときに、前記２重化再開コマンドの付加情報に従って、
前記正ディスク装置は、前記アクセス管理情報テーブルを参照し、
前記副ディスク制御装置に対するコマンド発行部にデータの書き込みコマンドを発行させ、前記副ディスク装置に前記正ディスク装置のデータを書き込むか、あるいは、前記副ディスク制御装置に対するコマンド発行部にデータの読み込みコマンドを発行させ、前記副ディスク装置から前記正ディスク装置にデータを読み込むことを特徴とする２重化記憶システム。
【請求項７】
ある上位装置に接続された第一のチャンネル装置と、前記第一のチャンネル装置と第二のディスク制御装置とに接続された第一のディスク制御装置と、前記第一のディスク制御装置が制御する第一のディスク装置とを有するデータストレージサブシステムの制御方法において、
このデータストレージサブシステムの初期化をすることなしに、前記第一のディスク制御装置から前記第二のディスク制御装置に実行されている多重化コピーモードを中断するステップと、
前記第二のディスク制御装置を介して更新されたバックアップデータを参照するために前記第一のディスク制御装置をアクセスするステップと、
このデータストレージサブシステムの初期化をすることなしに、更新されたデータを前記第二のディスク制御装置から前記第一のディスク制御装置にコピーすることにより、前記第一のディスク制御装置を再形成するステップを有することを特徴とするデータストレージサブシステムの制御方法。
【手続補正２】
【補正対象書類名】明細書
【補正対象項目名】００１９
【補正方法】変更
【補正の内容】
【００１９】
図１は、本発明の一実施の形態による２重化データ記憶システムのブロック構成図である。図１の２重化データ記憶システムは、主記憶装置１、チャンネル装置２、正ディスク制御装置３と正ディスク装置４からなる正システムと、この正システムと同様に、主記憶装置５、チャンネル装置６、副ディスク制御装置７と副ディスク装置８からなる副システムとからなる。正のチャンネル装置２及び正のディスク制御装置３、並びに、副のチャンネル装置６及び副のディスク制御装置７は、それぞれインタフェースケーブル９及び１０で接続されている。また、正のディスク制御装置３と副のディスク制御装置７は、インタフェースケーブル１１で接続されている。
【手続補正３】
【補正対象書類名】明細書
【補正対象項目名】００４６
【補正方法】変更
【補正の内容】
【００４６】
図７（ａ）において、正ディスク制御装置のチャネルコマンド解析部３０で、チャンネル装置からのコマンドが２重化再開コマンドであると判断した場合（ステップ６００）、状態管理テーブル３３を参照して２重化中断中以外の状態であるとき（ステップ６１０）、コマンドを拒否する（ステップ６２０）。状態が２重化中断中である場合、２重化再開コマンドの付加情報が正データ活用を表しているならば（ステップ６３０）、アクセス情報管理テーブル３４を参照し、アクセス箇所に対する書き込み命令を副ディスク装置に対して発行する（ステップ６４０）。２重化再開コマンドの付加情報が副データ活用を表しているならば（ステップ６７０）、アクセス情報管理テーブル３４を参照して、アクセス箇所に対する読み出し命令を副ディスク制御装置に対して発行し（ステップ６８０）、取得したデータを正ディスク装置へ書き込む（ステップ６９０）。